(57)【要約】【課題】ノイズ対策の部品を使用することなく表示装置の誤動作を低減可能な電子機器を提供する。【解決手段】電子機器であるファクシミリは、ＬＣＤユニット２２の起動タイミングを複数記憶している。ＣＰＵ３８は、電子機器の電源が投入された場合、複数の起動タイミングの中から１つの起動タイミングを選択する。ＣＰＵ３８は、選択された起動タイミングでＬＣＤユニット２２を起動させる。ＣＰＵ３８は、選択された起動タイミングでＬＣＤユニット２２が起動した場合、ＬＣＤユニット２２を動作させるための電圧が予め定められた範囲内であるか否かを判定する。ＣＰＵ３８は、電圧が予め定められた範囲内でないときには、電圧が予め定められた範囲内となるまで、起動タイミングの選択と、起動と、判定とを繰り返す。【選択図】図６
2014025964.tif 000002
【特許請求の範囲】
【請求項１】
表示装置を備えた電子機器であって、
前記表示装置の動作を制御する制御手段と、
前記表示装置の起動タイミングを複数記憶した記憶手段と、
前記表示装置を動作させるための電圧を検知する検知手段とを備え、
前記制御手段は、
前記電子機器の電源が投入された場合、前記複数の起動タイミングの中から１つの起動タイミングを選択し、
前記選択された起動タイミングで前記表示装置を起動させ、
前記選択された起動タイミングで前記表示装置が起動した場合、前記電圧が予め定められた範囲内であるか否かを判定し、
前記電圧が予め定められた範囲内でないときには、前記電圧が予め定められた範囲内となるまで、前記起動タイミングの選択と、前記起動と、前記判定とを繰り返す、電子機器。
【請求項２】
前記制御手段は、前記起動タイミングの選択を、前記起動タイミングの早い順に行なう、請求項１に記載の電子機器。
【請求項３】
前記制御手段は、
前記複数の起動タイミングの全てを選択しても前記電圧が予め定められた範囲内とならない場合に、前記表示装置における輝度またはコントラストを高くするための入力を予め定めれた回数以上受け付けると、前記複数の起動タイミングの中から起動タイミングが最も早い起動タイミングを選択し、
前記最も早い起動タイミングで前記表示装置を起動させ、
前記最も早い起動タイミングで前記表示装置を起動させた場合に、前記電圧が予め定められた範囲内とならない場合には、前記表示装置の動作を停止させる、請求項２に記載の電子機器。
【請求項４】
音声を出力する音声出力手段をさらに備え、
前記制御手段は、前記表示装置の動作を停止させた場合には、前記音声出力手段に予め定められた音声を出力させる、請求項３に記載の電子機器。
【請求項５】
前記制御手段は、前記音声出力手段に、何回目の前記選択に基づく再起動であるかを表す音声を出力させる、請求項４に記載の電子機器。
【請求項６】
前記制御手段は、
前記電圧が予め定められた範囲内になったときの前記起動タイミングを特定するための特定情報を、前記記憶手段に記憶させ、
前記特定情報が前記記憶手段に記憶された後に前記電子機器の電源が再度投入された場合、前記特定情報で特定される起動タイミングで前記表示装置を起動させる、請求項１〜５のいずれか１項に記載の電子機器。
【請求項７】
前記表示装置を動作させるための電圧を制御する電圧制御手段をさらに備え、
前記検知手段は、前記電圧制御手段における予め定められた端子間の電圧を検知し、
前記制御手段は、
前記表示装置における表示を制御する表示制御手段と、
前記表示制御手段に対して前記表示装置の起動タイミングを指定する起動制御手段とを含み、
前記起動制御手段は、
前記電子機器の電源が投入された場合、前記複数の起動タイミングの中から１つの起動タイミングを選択し、
前記表示制御手段に対して、前記選択された起動タイミングで前記表示装置を起動させるための指示をし、
前記指示に基づき前記選択された起動タイミングで前記表示装置が起動させられた場合、前記端子間の電圧が予め定められた範囲内であるか否かを判定し、
前記端子間の電圧が予め定められた範囲内でないときには、前記端子間の電圧が予め定められた範囲内となるまで、前記起動タイミングの選択と、前記指示と、前記判定とを繰り返す、請求項１〜６のいずれか１項に記載の電子機器。
【請求項８】
表示装置を備えた電子機器における起動制御方法であって、
前記電子機器の電源が投入された場合、前記電子機器に予め記憶されている表示装置の複数の起動タイミングの中から１つの起動タイミングを選択するステップと、
前記選択された起動タイミングで前記表示装置を起動させるステップと、
前記選択された起動タイミングで前記表示装置が起動した場合、前記表示装置を動作させるための電圧が予め定められた範囲内であるか否かを判定するステップと、
前記電圧が予め定められた範囲内でないときには、前記電圧が予め定められた範囲内となるまで、前記起動タイミングの選択と、前記起動と、前記判定とを繰り返すステップとを備える、起動制御方法。
【請求項９】
プロセッサと表示装置とを備えた電子機器を制御するためのプログラムであって、
前記電子機器の電源が投入された場合、前記電子機器に予め記憶されている表示装置の複数の起動タイミングの中から１つの起動タイミングを選択するステップと、
前記選択された起動タイミングで前記表示装置を起動させるステップと、
前記選択された起動タイミングで前記表示装置が起動した場合、前記表示装置を動作させるための電圧が予め定められた範囲内であるか否かを判定するステップと、
前記電圧が予め定められた範囲内でないときには、前記電圧が予め定められた範囲内となるまで、前記起動タイミングの選択と、前記起動と、前記判定とを繰り返すステップとを、前記プロセッサに実行させる、プログラム。
【発明の詳細な説明】
【技術分野】
【０００１】
本発明は、電子機器、起動制御方法、およびプログラムに関し、特に、表示装置を備えた電子機器、当該電子機器における起動制御方法、および当該電子機器を制御するためのプログラムに関する。
【背景技術】
【０００２】
従来、ＬＣＤ（Liquid Crystal Display）パネルおよびＬＣＤコントローラ等を有する表示装置（「ＬＣＤ」，「ＬＣＤユニット」，または「ＬＣＤモジュール」とも称する）を備えた電子機器が知られている。ここで、ＬＣＤパネルがノイズに弱い場合には、ＬＣＤにおいてノイズ対策を施す、あるいはＬＣＤの外部の装置または回路においてノイズ対策を施す必要がある。
【０００３】
また、電子機器の電源が投入された場合、ユーザの利便性を考慮して、少しでも早くＬＣＤパネルに情報を表示させることが好ましい。このような観点から、電子機器の電源投入時には、ＬＣＤだけではなく、電子機器のシステム内の複数の回路ブロックも一斉に動きだす。このため、システムの起動と、ＬＣＤの起動とが重なると、システムの起動により生じたノイズによって、ＬＣＤが誤動作することがある。
【０００４】
また、ＬＣＤを製造するメーカは、当該ＬＣＤが搭載される電子機器の特性を予め予測することが難しい。このため、ＬＣＤのメーカは、ＬＣＤ単体での評価しか行なえない。したがって、ＬＣＤ自体に問題がない場合であっても、ＬＣＤを電子機器の本体に実装した際に、ＬＣＤの不具合として処理されてしまうこともある。つまり、当該ＬＣＤは使用不可能と判断され、他のＬＣＤへの交換がなされる。
【０００５】
特許文献１には、特定の表示パターンを液晶表示装置（ＬＣＤ）に表示させる場合に発生する走査信号線駆動回路の誤動作による画質不具合の発生を抑制することを目的とした構成が開示されている。
【０００６】
具体的には、特許文献１の液晶表示装置用駆動回路は、同一フレームにおける、隣接する２行の走査信号線ＧＬに接続された同一列の二つの画素に対して入力される二つの画像信号の電圧差が、隣接する第１の列と第２の列とにおいて、第１の列上においては、階調を表示するために必要な最高電圧と最低電圧との電圧差の９０％以上１００％以下であり、第２の列上においては、０Ｖ以上１Ｖ以下である場合に、以下の処理を行なう。すなわち、液晶表示装置用駆動回路は、隣接する２行の内の少なくとも１行の走査信号線ＧＬに接続された画素において、第１の列の画素に入力される画像信号と、第２の列の画素に入力される画像信号との電圧差が、入力される画像信号よりも小さくなる類似画像信号ＤＡＴ２に、画像信号を変換する。
【０００７】
特許文献２には、シフトレジスタを駆動する正相・逆相の２本のクロック信号のスキューに起因したフェイル現象の発生を防止し、誤動作のない安定な回路動作を行なうことを目的とした動作回路および当該動作回路を用いた液晶表示パネルの内蔵駆動回路が開示されている。
【０００８】
具体的には、特許文献２の内蔵駆動回路は、基板上に形成された多結晶シリコン半導体層により構成されている。内蔵駆動回路は、クロックスキューが存在する正相・逆相の２つのクロック信号のうちの一方のクロック信号ＣＶ１を、クロック信号ＣＨ２によりラッチしてシフトレジスタに出力する第１ラッチ回路と、他方のクロック信号ＣＶ２を、クロック信号ＣＨ２によりラッチしてシフトレジスタに出力する第２ラッチ回路とを備えている。クロック信号ＣＶ１，ＣＶ２が逆極性となるタイミングで、２つのラッチ回路がラッチ動作を行う。
【先行技術文献】
【特許文献】
【０００９】
【特許文献１】特開２０１０−１１３３００号公報
【特許文献２】特開２０００−２０００７２号公報
【発明の概要】
【発明が解決しようとする課題】
【００１０】
特許文献１および２では、ＬＣＤの表示に不具合が生じた場合、当該不具合が、ＬＣＤに起因するものなのか、それとも外部のノイズに起因するものなかのを判断できない。また、特許文献１では、誤動作を防止するために、その都度、類似画像信号ＤＡＴ２への信号変換を行なわなければならない。
【００１１】
さらに、ノイズ対策には、コストと時間とを要する。特に、ＬＣＤにノイズ対策を施すには多くの時間を要する。
【００１２】
本願発明は、上記の問題点を鑑みなされたものであって、その目的は、ノイズ対策の部品を使用することなく表示装置の誤動作を低減可能な電子機器、電子機器における起動制御方法、および電子機器を制御するためのプログラムを提供することにある。
【課題を解決するための手段】
【００１３】
本発明のある局面に従うと、電子機器は、表示装置を備えている。電子機器は、表示装置の動作を制御する制御手段と、表示装置の起動タイミングを複数記憶した記憶手段と、表示装置を動作させるための電圧を検知する検知手段とを備える。制御手段は、電子機器の電源が投入された場合、複数の起動タイミングの中から１つの起動タイミングを選択する。制御手段は、選択された起動タイミングで表示装置を起動させる。制御手段は、選択された起動タイミングで表示装置が起動した場合、電圧が予め定められた範囲内であるか否かを判定する。制御手段は、電圧が予め定められた範囲内でないときには、電圧が予め定められた範囲内となるまで、起動タイミングの選択と、起動と、判定とを繰り返す。
【００１４】
好ましくは、制御手段は、起動タイミングの選択を、起動タイミングの早い順に行なう。
【００１５】
好ましくは、制御手段は、複数の起動タイミングの全てを選択しても電圧が予め定められた範囲内とならない場合に、表示装置における輝度またはコントラストを高くするための入力を予め定めれた回数以上受け付けると、複数の起動タイミングの中から起動タイミングが最も早い起動タイミングを選択する。制御手段は、最も早い起動タイミングで表示装置を起動させる。制御手段は、最も早い起動タイミングで表示装置を起動させた場合に、電圧が予め定められた範囲内とならない場合には、表示装置の動作を停止させる。
【００１６】
好ましくは、電子機器は、音声を出力する音声出力手段をさらに備える。制御手段は、表示装置の動作を停止させた場合には、音声出力手段に予め定められた音声を出力させる。
【００１７】
好ましくは、制御手段は、音声出力手段に、何回目の選択に基づく再起動であるかを表す音声を出力させる。
【００１８】
好ましくは、制御手段は、電圧が予め定められた範囲内になったときの起動タイミングを特定するための特定情報を、記憶手段に記憶させる。制御手段は、特定情報が記憶手段に記憶された後に電子機器の電源が再度投入された場合、特定情報で特定される起動タイミングで表示装置を起動させる。
【００１９】
好ましくは、電子機器は、表示装置を動作させるための電圧を制御する電圧制御手段をさらに備える。検知手段は、電圧制御手段における予め定められた端子間の電圧を検知する。制御手段は、表示装置における表示を制御する表示制御手段と、表示制御手段に対して表示装置の起動タイミングを指定する起動制御手段とを含む。起動制御手段は、電子機器の電源が投入された場合、複数の起動タイミングの中から１つの起動タイミングを選択する。起動制御手段は、表示制御手段に対して、選択された起動タイミングで表示装置を起動させるための指示をする。起動制御手段は、指示に基づき選択された起動タイミングで表示装置が起動させられた場合、端子間の電圧が予め定められた範囲内であるか否かを判定する。起動制御手段は、端子間の電圧が予め定められた範囲内でないときには、端子間の電圧が予め定められた範囲内となるまで、起動タイミングの選択と、指示と、判定とを繰り返す。
【００２０】
本発明の他の局面に従うと、起動制御方法は、表示装置を備えた電子機器において実行される。起動制御方法は、電子機器の電源が投入された場合、電子機器に予め記憶されている表示装置の複数の起動タイミングの中から１つの起動タイミングを選択するステップと、選択された起動タイミングで表示装置を起動させるステップと、選択された起動タイミングで表示装置が起動した場合、表示装置を動作させるための電圧が予め定められた範囲内であるか否かを判定するステップと、電圧が予め定められた範囲内でないときには、電圧が予め定められた範囲内となるまで、起動タイミングの選択と、起動と、判定とを繰り返すステップとを備える。
【００２１】
本発明のさらに他の局面に従うと、プログラムは、プロセッサと表示装置とを備えた電子機器を制御する。プログラムは、電子機器の電源が投入された場合、電子機器に予め記憶されている表示装置の複数の起動タイミングの中から１つの起動タイミングを選択するステップと、選択された起動タイミングで表示装置を起動させるステップと、選択された起動タイミングで表示装置が起動した場合、表示装置を動作させるための電圧が予め定められた範囲内であるか否かを判定するステップと、電圧が予め定められた範囲内でないときには、電圧が予め定められた範囲内となるまで、起動タイミングの選択と、起動と、判定とを繰り返すステップとを、プロセッサに実行させる。
【発明の効果】
【００２２】
本発明によれば、ノイズ対策の部品を使用することなく表示装置の誤動作を低減可能となる。
【図面の簡単な説明】
【００２３】
【図１】ファクシミリの外観図である。
【図２】ファクシミリが備えるハードウェアを説明するためのブロック図である。
【図３】ファクシミリの要部を表した図である。
【図４】ファクシミリのＲＯＭに記憶されているデータＤ４を説明するための図である。
【図５】各処理に要する時間を、テーブル毎に示したデータＤ５を表した図である。
【図６】図４に示した処理の順序と、図５に示した開始または起動に要する時間とを説明するための図である。
【図７】ファクシミリの機能的構成を説明するための機能ブロック図である。
【図８】ファクシミリの処理の流れを説明するためのフローチャートである。
【発明を実施するための形態】
【００２４】
以下、図面を参照しつつ、電子機器の一例としてファクシミリを例に挙げて説明する。なお、電子機器としては、表示装置を備える各機器（たとえば、携帯電話機、スマートフォン、ＰＤＡ（Personal Digital Assistant）、デジタルカメラ、タブレット端末、パーソナルコンピュータ）であればよい。また、以下の説明では、同一の部品には同一の符号を付してある。それらの名称および機能も同じである。したがって、それらについての詳細な説明は繰り返さない。
【００２５】
＜Ａ．ハードウェア構成＞
図１は、ファクシミリ１０の外観図である。図１を参照して、ファクシミリ１０は、給紙トレイ１４と、操作パネル２０と、ＬＣＤユニット２２と、スキャナ３６とを備える。
【００２６】
給紙トレイ１４は、スキャナ３６によって読み取られる紙（原稿）を置くためのトレイである。スキャナ３６は、原稿を読み取り、原稿に記載された情報を信号に変換するための装置である。操作パネル２０は、ファクシミリ１０のユーザがファクシミリ１０に対して入力を行なうための入力装置である。ＬＣＤユニット２２は、各種の情報を表示するための表示装置（ディスプレイ，モニタ）である。なお、ＬＣＤユニット２２の詳細な構成については、後述する（図３）。
【００２７】
図２は、ファクシミリ１０が備えるハードウェアを説明するためのブロック図である。図２を参照して、ファクシミリ１０は、給紙トレイ１４と、網通信装置１６と、記録装置１８と、操作パネル２０と、ＬＣＤユニット２２と、スピーカ２４と、ＤＳＰ（Digital Signal Processor）４４と、センサ３０と、ＲＯＭ（Read Only Memory）３２と、ＲＡＭ（Random Access Memory）３４と、スキャナ３６と、ＣＰＵ（Central Processing Unit）３８と、電圧計４０と、無線通信装置４２とを備える。ＤＳＰ４４は、音声録音再生装置４４２と、モデム４４４とを含む。なお、以下の説明では、ＲＯＭ３２は、データの書き換えが可能なフラッシュＲＯＭを含んで構成されるものとする。また、ファクシミリ１０は、メモリカード等のＩＣカードの読み取りを行なうＩＣカードリーダライタを備えていてもよい。
【００２８】
網通信装置１６は、他のファクシミリまたは電話機と通信するための各種のデータ処理を行なう。記録装置１８は、他のファクシミリ等から受信した画像データを、記録紙に画像として出力する。センサ３０は、原稿が給紙トレイ１４にセットされているか否かを検知する。また、センサ３０は、送信に関する異常を検知する。
【００２９】
ＲＯＭ３２は、ファクシミリ１０に各種機能を実行させるための各種プログラムおよび各種データが予め格納されてる。当該プログラムおよびデータは、ＣＰＵ３８によってＲＡＭ３４に展開された後、実行される。ＲＡＭ３４は、ユーザが入力した各種情報（他人の電話番号）、送受信履歴等の各種の情報を揮発的に記憶する。
【００３０】
ＣＰＵ３８は、ファクシミリ１０の全体的な動作を制御する。ＣＰＵ３８は、ＲＯＭ３２に格納されている各種プログラムおよび各種データをＲＡＭ３４に展開し、当該データを用いて当該プログラムを実行する。また、ＣＰＵ３８は、操作パネル２０からの入力を受け付ける。ＣＰＵ３８が行なう処理の詳細については後述する。
【００３１】
電圧計４０は、ＬＣＤユニット２２を動作させるための電圧を検知する。詳細については、後述するが、電圧計４０は、ＬＣＤユニット２２内の予め定められた２つの端子間の電圧を測定する。無線通信装置４２は、ファクシミリ１０の子機および／または宅内の他の通信装置と通信するための各種のデータ処理を行なう。
【００３２】
ＤＳＰ４４は、音声処理に特化したマイクロプロセッサである。音声録音再生装置４４２は、通話中の音声を録音し、当該録音した音声を再生するための装置である。モデム４４４は、ディジタル信号を音声帯域回線等の伝送に適したように変調および復調するものである。モデム４４４は、ディジタル信号を音声帯域信号の搬送波に変換して伝送し、電話回線を使用してデータ伝送を行う場合に使用される。
【００３３】
ファクシミリ１０における処理は、各ハードウェアおよびＣＰＵ３８により実行されるソフトウェアによって実現される。このようなソフトウェアは、ＲＯＭ３２に予め記憶されている場合がある。また、ソフトウェアは、メモリカードその他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタその他の読取装置によりその記憶媒体から読み取られた後、ＲＯＭ３２に一旦格納される。そのソフトウェアは、ＣＰＵ３８によってＲＯＭ３２から読み出され、さらにＲＯＭ３２に実行可能なプログラムの形式で格納される。ＣＰＵ３８は、そのプログラムを実行する。
【００３４】
同図に示されるファクシミリ１０を構成する各構成要素は、一般的なものである。したがって、本発明の本質的な部分は、ＲＯＭ３２、メモリカードその他の記憶媒体に格納されたソフトウェア、あるいはネットワークを介してダウンロード可能なソフトウェアであるともいえる。なお、ファクシミリ１０の各ハードウェアの動作は周知であるので、詳細な説明は繰り返さない。
【００３５】
なお、記録媒体としては、ＤＶＤ-ＲＯＭ、ＣＤ−ＲＯＭ、ＦＤ、ハードディスクに限られず、磁気テープ、カセットテープ、光ディスク、光カード、マスクＲＯＭ、ＥＰＲＯＭ、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００３６】
以下では、ＬＣＤユニット２２が、セグメント表示方式のＬＣＤパネルを含む場合を例に挙げて説明する。なお、ＬＣＤユニット２２の構成は、これに限定されるものではない。たとえば、ＬＣＤユニット２２は、ＴＦＴ方式のＬＣＤパネルを含んで構成されてもよい。
【００３７】
図３は、ファクシミリ１０の要部を表した図である。図３を参照して、ファクシミリ１０は、ＬＣＤユニット２２と、ＣＰＵ３８と、電圧計４０と、インターフェイス６０と、ＶＤＤ外部端子５０と、コンデンサＣ１〜Ｃ５とを備える。電源システム２２１は、電源システム２２１は、電圧ブースタ２２１１と、電圧レギュレータ２２１２と、ＩＣ２２１３と、電圧フォロワ２２１４とを有する。ＬＣＤユニット２２は、電源システム２２１と、ＬＣＤコントローラ２２２と、セグメントドライバ２２３と、コモンドライバ２２４と、ＬＣＤパネル２２５と、複数の端子５１〜５７とを含む。
【００３８】
ＶＤＤ外部端子５０は、外部電源をＬＣＤユニット２２に供給するための端子である。具体的には、ＶＤＤ外部端子５０は、外部電源を電源システム２２１に供給するための端子である。
【００３９】
電源システム２２１は、ＬＣＤパネル２２５を動作（駆動）させるための電源である。電源システム２２１は、端子５１〜５７によって、外部の回路と接続される。なお、ＶＤＤ外部端子５０に接続されたＶＤＤ端子５２とＶＳＳ端子５１との間の電圧が、電源システム２２１の駆動電圧となる。
【００４０】
電圧ブースタ２２１１は、上記駆動電圧を昇圧する。電圧レギュレータ２２１２は、上記昇圧された駆動電圧を一定に調整して、電圧レギュレータ２２１２に出力する。ＩＣ２２１３は、電圧レギュレータ２２１２に接続されている。ＩＣ２２１３は、電圧レギュレータ２２１２の動作を制御する。
【００４１】
電圧フォロワ２２１４は、出力を反転入力端子に入力することにより、出力インピーダンスを下げる。なお、電圧フォロワ２２１４においては、増幅は行なわれない。また、電圧フォロワ２２１４からの出力は、セグメントドライバ２２３とコモンドライバ２２４に入力される。
【００４２】
ＶＯ端子５３は、電圧ブースタ２２１１の出力端子の１つである。ＸＶＯ端子５４は、電圧レギュレータ２２１２の出力端子の１つである。ＶＤ１端子５５は、電源システム２２１の端子の１つである。ＶＭ端子５６およびＶＧ端子５７は、電圧フォロワ２２１４の端子の１つである。
【００４３】
電圧計４０は、予め定められた端子間の電圧を検知する。具体的には、電圧計４０は、ＶＯ端子５３とＸＶＯ端子５４との間の電圧を測定する。つまり、電圧計４０は、電圧ブースタ２２１１で昇圧された直後の電圧と、電圧レギュレータ２２１２で調整された電圧との電位差を測定する。電圧計４０による測定結果は、インターフェイス６０を介して、ＣＰＵ３８に伝えられる。ＣＰＵ３８は、当該測定結果を利用したデータ処理を行なう。当該データ処理の詳細については後述する。
【００４４】
なお、電圧ブースタ２２１１で昇圧される前の電圧と、電圧レギュレータ２２１２で調整された電圧との電位差を電圧計４０が測定するように、回路を構成してもよい。
【００４５】
ＬＣＤコントローラ２２２は、ＶＲＡＭ（図示せず）を内蔵している。ＬＣＤコントローラ２２２は、ＣＰＵ３８からの描画データをＶＲＡＭに書き込みつつ、一方で液晶駆動用の画像データをＶＲＡＭから適切に読み出しＬＣＤパネル２２５に出力する。ＬＣＤコントローラ２２２は、画像の回転処理、拡大縮小処理、受信した画像のプレビュー処理等も行なう。
【００４６】
セグメントドライバ２２３およびコモンドライバ２２４は、ＬＣＤコントローラ２２２とＬＣＤパネル２２５との間に設けられている。セグメントドライバ２２３およびコモンドライバ２２４は、互いに異なるバスラインを駆動するためのＩＣである。なお、セグメントドライバ２２３は、ＬＣＤパネル（正確にはセグメント）を駆動するためのＩＣである。セグメントドライバ２２３およびコモンドライバ２２４は、ＬＣＤコントローラ２２２からの指示により動作する。
【００４７】
インターフェイス６０は、ＣＰＵ３８とＬＣＤユニット２２との間のデータのやり取りを行なう。
【００４８】
＜Ｂ．データ＞
図４は、ファクシミリ１０のＲＯＭ３２に記憶されているデータＤ４を説明するための図である。図４を参照して、データＤ４は、複数のテーブルＮｏ．１〜Ｎｏ．７を含む。各テーブルＮｏ．１〜Ｎｏ．７は、ＣＰＵ３８のブートと、ＣＰＵ３８のクロックアップと、ＬＣＤユニット２２の起動と、網通信装置１６の起動と、無線通信装置４２の起動と、モデム４４４の起動と、音声録音再生装置４４２の起動と、操作パネル２０の起動とに関し、処理の順序を示すグループ分けがなされている。また、同一グループにおいても、処理の順序が規定されている。なお、１つのグループには、１つ以上の処理が対応している。
【００４９】
各テーブルＮｏ．１〜Ｎｏ．７に関し、まず、第１グループの処理が開始され、当該第１グループの処理が終了すると、第２のグループの処理が開始される。第２のグループの処理が終了すると、第３のグループの処理が開始される。つまり、第ｋグループの処理が開始され、第ｋグループの処理が終了すると、第ｋ＋１グループの処理が開始される。なお、ｋは、自然数である。
【００５０】
また、同一グループに属する場合、規定された順序にしたがって順次処理が実行される。具体的には、同一グループに複数の処理が属する場合、複数の処理が並行して実行される。
【００５１】
テーブルＮｏ．１を例に挙げて説明すれば、以下のとおりである。ファクシミリ１０の電源投入後、最初に、第１グループに属するＣＰＵ３８のブート処理が開始される。ＣＰＵ３８のブート処理が終了すると、第２グループに属する複数の処理が順次開始される。つまり、ＣＰＵ３８のクロックアップ処理がなされ、当該クロックアップ処理の終了を待たずに、ＬＣＤユニット２２の起動が開始される。その後、他の処理の終了を待たずに、網通信装置１６の起動、無線通信装置４２の起動、モデム４４４の起動、音声録音再生装置４４２の起動、および操作パネル２０の起動の各処理が、順次行なわれる。
【００５２】
図５は、各処理に要する時間を、テーブル毎に示したデータＤ５を表した図である。つまり、図５は、ＣＰＵ３８のブート、ＣＰＵ３８のクロックアップ、ＬＣＤユニット２２の起動、網通信装置１６の起動、無線通信装置４２の起動、モデム４４４の起動、音声録音再生装置４４２の起動、および操作パネル２０の起動の各々に要する時間を、テーブル毎に表した図である。なお、データＤ５は、ファクシミリ１０のＲＯＭ３２に予め記憶されている。
【００５３】
図５を参照して、データＤ５では、ＣＰＵ３８のブート、ＣＰＵ３８のクロックアップ、ＬＣＤユニット２２の起動、網通信装置１６の起動、無線通信装置４２の起動、モデム４４４の起動、音声録音再生装置４４２の起動、および操作パネル２０の起動の各処理に要する時間は、それぞれ、１００ｍｓ、５００ｍｓ、１０００ｍｓ、１００ｍｓ、１００ｍｓ、１００ｍｓ、１００ｍｓ、１００ｍｓであり、各テーブルＮｏ．１〜Ｎｏ．７で同じ値となっている。
【００５４】
ファクシミリ１０は、図５のデータＤ４と図６のデータＤ５とを参照して、各テーブルＮｏ．１〜Ｎｏ．７に関し、ＣＰＵ３８のブートのタイミング、ＣＰＵ３８のクロックアップのタイミング、ＬＣＤユニット２２の起動タイミング、網通信装置１６の起動タイミング、無線通信装置４２の起動タイミング、モデム４４４の起動タイミング、音声録音再生装置４４２の起動タイミング、および操作パネル２０の起動タイミングを決定する。
【００５５】
なお、ファクシミリ１０が、テーブルＮｏ．１〜Ｎｏ．７のうち、どのテーブルをどの順序で用いるかについては、後述する。
【００５６】
図６は、図４に示した処理の順序（開始の順序および起動の順序）と、図５に示した開始または起動に要する時間とを説明するための図である。
【００５７】
図６（Ａ）は、テーブルＮｏ．１に関する図である。図６（Ｂ）は、テーブルＮｏ．２に関する図である。図６（Ｃ）は、テーブルＮｏ．７に関する図である。なお、説明の便宜上、図６には、テーブルＮｏ．３〜Ｎｏ．６に関する図は記載していない。また、図６においては、横軸は時間であり、横軸の一目盛が１００ｍｓである。
【００５８】
図６（Ａ）を参照して、各矢印は、各処理の順序と各処理に要する時間とを視覚的に表している。各矢印の長さが、各処理に要する時間（つまり、図５のデータＤ５に示した時間）を表している。
【００５９】
上述したように、ファクシミリ１０の電源投入後、最初に、第１グループに属するＣＰＵ３８のブート処理が開始される。ＣＰＵ３８のブート処理には、１００ｍｓの時間を要する。ＣＰＵ３８のブート処理が終了すると、第２グループに属する複数の処理が順次開始される。つまり、ＣＰＵ３８のクロックアップ処理がなされ、当該クロックアップ処理の終了を待たずに、ＬＣＤユニット２２の起動が開始される。その後、他の処理の終了を待たずに、網通信装置１６の起動、無線通信装置４２の起動、モデム４４４の起動、音声録音再生装置４４２の起動、および操作パネル２０の起動の各処理が、順次行なわれる。
【００６０】
ここで、ＣＰＵ３８のクロックアップ、ＬＣＤユニット２２の起動、網通信装置１６の起動、無線通信装置４２の起動、モデム４４４の起動、音声録音再生装置４４２の起動、および操作パネル２０の起動の各処理に要する時間は、それぞれ、上述したように、５００ｍｓ、１０００ｍｓ、１００ｍｓ、１００ｍｓ、１００ｍｓ、１００ｍｓ、１００ｍｓである。
【００６１】
この結果、図６（Ａ）では、第２グループに属する複数の処理が並行して行なわれることになる。
【００６２】
図６（Ｂ）を参照して、ＬＣＤユニット２２の起動タイミングと、網通信装置１６の起動タイミングと、無線通信装置４２の起動タイミングと、モデム４４４の起動タイミングと、音声録音再生装置４４２の起動タイミングと、操作パネル２０の起動タイミングとが、図６（Ａ）と異なる。それ以外のタイミングおよび各処理の長さは、図６（Ｂ）は、図６（Ａ）と同じである。
【００６３】
具体的には、ファクシミリ１０の電源投入後、最初に、第１グループに属するＣＰＵ３８のブート処理が開始される。なお、ＣＰＵ３８のブート処理には、１００ｍｓの時間を要する。ＣＰＵ３８のブート処理が終了すると、第２グループに属するＣＰＵ３８のクロックアップ処理が開始される。なお、ＣＰＵ３８のクロックアップ処理には、５００ｍｓの時間を要する。ＣＰＵ３８のクロックアップ処理が終了すると、第３グループに属する複数の処理が順次開始される。つまり、ＬＣＤユニット２２の起動処理がなされ、当該ＬＣＤユニット２２の起動処理の終了を待たずに、網通信装置１６の起動処理が開始される。その後、他の処理の終了を待たずに、無線通信装置４２の起動、モデム４４４の起動、音声録音再生装置４４２の起動、および操作パネル２０の起動の各処理が、順次行なわれる。
【００６４】
この結果、図６（Ｂ）では、第３グループに属する複数の処理が並行して行なわれることになる。
【００６５】
図６（Ｃ）を参照して、ＬＣＤユニット２２の起動タイミングと、網通信装置１６の起動タイミングと、無線通信装置４２の起動タイミングと、モデム４４４の起動タイミングと、音声録音再生装置４４２の起動タイミングと、操作パネル２０の起動タイミングとが、図６（Ａ）および図６（Ｂ）と異なる。さらに、網通信装置１６の起動タイミングと、無線通信装置４２の起動タイミングとの順序が入れ替わっている。
【００６６】
また、ＣＰＵ３８のブート処理と、ＣＰＵ３８のクロックアップ処理と、ＬＣＤユニット２２の起動処理と、網通信装置１６の起動処理と、無線通信装置４２の起動処理と、モデム４４４の起動処理と、音声録音再生装置４４２の起動処理と、操作パネル２０の起動処理とは、図４に示したように、属するグループがそれぞれ異なるため、時間的に重複することなくずれている。つまり、これらの各起動処理は、同じ時間帯で行なわれることがない。
【００６７】
このように、ファクシミリ１０のＲＯＭ３２には、ＣＰＵ３８のブートの開始タイミングと、ＣＰＵ３８のクロックアップの開始タイミングと、ＬＣＤユニット２２の起動タイミングと、網通信装置１６の起動タイミングと、無線通信装置４２の起動タイミングと、モデム４４４の起動タイミングと、音声録音再生装置４４２の起動タイミングと、操作パネル２０の起動タイミングとの組み合わせが、複数記述されている。
【００６８】
とりわけ、複数のテーブルＮｏ．１〜Ｎｏ．７間において、ＬＣＤユニット２２の起動タイミングが互いに異なるように設定されている。また、ＬＣＤユニット２２以外の装置の起動タイミングも、ＣＰＵ３８のブート処理とＣＰＵ３８のクロックアップ処理とを除き、複数のテーブルＮｏ．１〜Ｎｏ．７間において異なるように設定されている。
【００６９】
また、複数のテーブルＮｏ．１〜Ｎｏ．７においては、テーブルＮｏ．１、テーブルＮｏ．２、テーブルＮｏ．３、テーブルＮｏ．４、テーブルＮｏ．５、テーブルＮｏ．６、テーブルＮｏ．７の順に、ＬＣＤユニット２２が誤動作しにくいように、各処理の開始および起動のタイミングが設定されている。ただし、テーブルＮｏ．１、テーブルＮｏ．２、テーブルＮｏ．３、テーブルＮｏ．４、テーブルＮｏ．５、テーブルＮｏ．６、テーブルＮｏ．７の順に、ＬＣＤユニット２２の起動が遅くなる。
【００７０】
＜Ｃ．機能的構成＞
図７は、ファクシミリ１０の機能的構成を説明するための機能ブロック図である。図７を参照して、ファクシミリ１０は、制御部１００と、記憶部１１０と、表示部１２０と、電源部１３０と、検知部１４０と、音声出力部１５０を備える。制御部１００は、起動制御部１０１と、表示制御部１０２とを含む。電源部１３０は、電圧制御部１３１を含む。
【００７１】
起動制御部１０１は、ＣＰＵ３８により実現される。表示制御部１０２は、ＬＣＤコントローラ２２２により実現される。記憶部１１０は、スピーカ２４およびＤＳＰ４４により実現される。検知部１４０は、電圧計４０に相当する。表示部１２０は、ＬＣＤパネル２２５に相当する。電源部１３０は、電源システム２２１に相当する。また、表示部１２０と、表示制御部１０２と、電源部１３０とを含んで、ＬＣＤユニット２２が構成される。
【００７２】
以下、各ブロックの機能について説明する。また、以下では、ＬＣＤユニット２２の起動タイミングに着目した説明を行なう。
【００７３】
（１）制御部１００は、ファクシミリ１０の動作を制御する。たとえば、制御部１００は、ＬＣＤユニット２２の動作を制御する。記憶部１１０は、少なくとも、ＬＣＤユニット２２の起動タイミングを複数記憶している。具体的には、記憶部１１０は、図４に示したデータＤ４を記憶している。検知部１４０は、ＬＣＤユニット２２（詳しくは、表示部１２０）を動作させるための電圧を検知する。
【００７４】
制御部１００は、ファクシミリ１０の電源が投入された場合、上記複数の起動タイミングの中から１つの起動タイミングを選択する。具体的には、制御部１００は、テーブルＮｏ．１〜Ｎｏ．７のうちから１つのテーブルを選択する。
【００７５】
また、制御部１００は、上記選択された起動タイミングでＬＣＤユニット２２を起動させる。さらに、制御部１００は、上記選択された起動タイミングでＬＣＤユニット２２が起動した場合、上記電圧が予め定められた範囲内であるか否かを判定する。なお、当該範囲を示す値は、記憶部１１０に予め格納されている。
【００７６】
また、制御部１００は、上記電圧が予め定められた範囲内でないときには、当該電圧が予め定められた範囲内となるまで、上記起動タイミングの選択と、上記起動と、上記判定とを繰り返す。つまり、制御部１００は、テーブルの選択と、当該テーブルを用いた起動処理（開始処理含む）と、電圧についての判定処理とを繰り返す。
【００７７】
それゆえ、ファクシミリ１０は、ＬＣＤユニット２２に対するノイズの影響が小さなタイミングでＬＣＤユニット２２を起動させることができる。したがって、ファクシミリ１０は、ノイズ対策の部品を使用することなくＬＣＤユニット２２の誤動作を低減可能となる。換言すれば、ファクシミリ１０は、ＬＣＤユニット２２に不具合を引き起こすノイズを発生させる起動パターン（図４）を避けて、ＬＣＤユニット２２を起動させることにより、ＣＰＵユニット２２の誤動作の低減を実現できる。
【００７８】
以上により、ＬＣＤユニット２２自体に問題がないにも関わらず、当該ＬＣＤユニット２２が故障しているとして扱われてしまうことを防止することが可能となる。
【００７９】
（２）より詳しくは、電圧制御部１３１は、表示部１２０を動作させるための電圧を制御する。検知部１４０は、電圧制御部１３１における予め定められた端子間の電圧を検知する。具体的には、検知部１４０は、ＶＯ端子５３とＸＶＯ端子５４との間の電圧を検知する。つまり、検知部１４０は、ＬＣＤユニット２２の誤動作を監視するための監視部として機能する。表示制御部１０２は、表示部１２０における表示を制御する。起動制御部１０１は、表示制御部１０２に対してＬＣＤユニット２２の起動タイミングを指定する。
【００８０】
起動制御部１０１は、ファクシミリ１０の電源が投入された場合、上記複数の起動タイミングの中から１つの起動タイミングを選択する。また、起動制御部１０１は、表示制御部１０２に対して、上記選択された起動タイミングでＬＣＤユニット２２を起動させるための指示をする。さらに、起動制御部１０１は、上記指示に基づき選択された起動タイミングでＬＣＤユニット２２が起動させられた場合、上記端子間の電圧が予め定められた範囲内であるか否かを判定する。また、起動制御部１０１は、上記端子間の電圧が予め定められた範囲内でないときには、当該端子間の電圧が予め定められた範囲内となるまで、上記起動タイミングの選択と、上記指示と、上記判定とを繰り返す。
【００８１】
（３）さらに詳しくは、以下のとおりである。
（i）ＬＣＤユニットの起動は、早い方がユーザの利便性の観点から好ましい。それゆえ、起動制御部１０１は、上記起動タイミングの選択を、起動タイミングの早い順に行なう。
【００８２】
（ii）起動制御部１０１は、上記複数の起動タイミングの全てを選択しても上記電圧が予め定められた範囲内とならない場合に、表示部１２０における輝度またはコントラストを高くするための入力を予め定めれた回数以上受け付けると、上記複数の起動タイミングの中から起動タイミングが最も早い起動タイミングを選択する。次いで、起動制御部１０１は、最も早い起動タイミングでＬＣＤユニット２２を起動させる。さらに、起動制御部１０１は、最も早い起動タイミングでＬＣＤユニット２２を起動させた場合に、上記電圧が予め定められた範囲内とならない場合には、ＬＣＤユニット２２の動作を停止させる。
【００８３】
つまり、電圧が予め定められた範囲内とならない場合には、表示部１２０における輝度およびコントラストは、設定値よりも低くなる。このため、ユーザが輝度またはコントラストを高くするための入力を行なう場合が多い。また、輝度またはコントラストの変更により、ノイズがＬＣＤユニット２２（詳しくは表示部１２０）に与える影響が変化する場合もある。このため、起動制御部１０１は、ファクシミリ１０が当該入力を予め定めれた回数以上受け付けると、再度、最初に選択した起動タイミングでトライする。起動制御部１０１は、当該トライでも不具合が解消しなければ、無駄な処理を防ぐ観点から、これ以上のトライは行なわない。
【００８４】
（iii）音声出力部１５０は、音声を出力する。起動制御部１０１は、ＬＣＤユニット２２の動作を停止させた場合には、音声出力部１５０に予め定められた音声（たとえば、故障を通知する音声）を出力させる。これにより、ファクシミリ１０のユーザは、ＬＣＤユニット２２が故障していることを音声にて知ることができる。なお、ユーザとしては、エンドユーザのみならず、ファクシミリ１０の製造メーカも含む。
【００８５】
この場合、再起動の回数をユーザが知ることができるよう、起動制御部１０１は、音声出力部１５０に、何回目の選択に基づく再起動であるかを表す音声を出力させてもよい。
【００８６】
（iv）起動制御部１０１は、上記電圧が予め定められた範囲内になったときの起動タイミングを特定するための特定情報を、記憶部１１０（具体的には、ＲＯＭ３２）に記憶させる。具体的には、起動制御部１０１は、テーブルＮｏ．１〜Ｎｏ．７のうちの１つのテーブルを特定するための情報を記憶部１１０に記憶させる。当該情報は、フラグであってもよいし、テーブル名称であってもよい。あるいは、後述する変数ｉの値であってもよい。
【００８７】
起動制御部１０１は、特定情報が記憶部１１０に記憶された後にファクシミリ１０の電源が再度投入された場合、上記特定情報で特定される起動タイミングでＬＣＤユニット２２を起動させる。
【００８８】
これにより、電源をオフした後に再度電源をオンした場合、起動制御部１０１は、１回目に選択した起動タイミングでの起動により、ＬＣＤユニット２２を問題なく動作させることができる。したがって、ＬＣＤユニットの起動を早めることができる。
【００８９】
＜Ｄ．制御構造＞
図８は、ファクシミリ１０の処理の流れを説明するためのフローチャートである。図８を参照して、ステップＳ２において、ＣＰＵ３８は、テーブルを特定するための変数ｉに“１”を代入する。ステップＳ４において、ＣＰＵ３８は、テーブルＮｏ．ｉに示すタイミングで各部を起動させる。つまり、ＣＰＵ３８は、テーブルＮｏ．ｉに示すタイミングでブートの開始とクロックアップの開始とを行なう。また、ＬＣＤユニット２２と、網通信装置１６と、無線通信装置４２と、モデム４４４と、音声録音再生装置４４２とについても、テーブルＮｏ．ｉに示すタイミングで起動する。
【００９０】
ステップＳ６において、ＣＰＵ３８は、起動直後のＬＣＤユニット２２の電圧が予め定められた範囲内であるか否かを判断する。ＣＰＵ３８は、範囲内であると判断した場合（ステップＳ６においてＹＥＳ）、ステップＳ８において、ＬＣＤユニット２２において表示処理を開始させる。つまり、ＣＰＵ３８は、ＬＣＤユニット２２に通常処理を実行させる。ステップＳ１０において、ＣＰＵ３８は、ファクシミリ１０の電源をオフする指示を受け付けたか否かを判断する。ＣＰＵ３８は、受け付けたと判断した場合（ステップＳ１０においてＹＥＳ）、一連の処理を終了する。ＣＰＵ３８は、受け付けていないと判断したばあ（ステップＳ１０においてＮＯ）、処理をステップＳ８に進める。
【００９１】
ＣＰＵ３８は、範囲外であると判断した場合（ステップＳ６においてＮＯ）、ステップＳ１２において、変数ｉをインクリメントする。つまり、ＣＰＵ３８は、変数ｉの値を１つ増加させる。ステップＳ１４において、ＣＰＵ３８は、変数ｉの値が１〜７以外であるか否かを判断する。
【００９２】
ＣＰＵ３８は、変数ｉの値が１〜７だと判断した場合（ステップＳ１４においてＮＯ）、処理をステップＳ４に進める。ＣＰＵ３８は、変数ｉの値が１〜７以外であると判断した場合（ステップＳ１４においてＹＥＳ）、処理をステップＳ１６に進め、輝度またはコントラストを高くするための処理をＮ回以上連続で受け付けたか否かを判断する。
【００９３】
ＣＰＵ３８は、受け付けていないと判断した場合（ステップＳ１６においてＮＯ）、処理をステップＳ２２に進める。一方、ＣＰＵ３８は、受け付けたと判断した場合（ステップＳ１６においてＹＥＳ）、ステップＳ１８において、テーブルＮｏ．１に示したタイミングで再起動をする。ステップＳ２０において、ＣＰＵ３８は、ＬＣＤユニット２２が異常であることを音声出力部１５０を用いて報知する。
【００９４】
つまり、ＣＰＵ３８は、最もＬＣＤユニット２２が誤動作しにくいテーブルＮｏ．７を用いても起動直後のＬＣＤユニット２２の電圧が予め定められた範囲にならない場合、ユーザ（ワーカ）等が目視の後に輝度またはコントラストの調整がなされたときには、テーブルＮｏ．７を用いても調整しきれないと判断する。そして、ＣＰＵ３８は、利用するテーブルをＬＣＤユニット２２の起動が一番早いテーブルＮｏ．１に戻す。一方、ユーザ（ワーカ）等が目視の後に輝度またはコントラストの調整がなされなかったときには、起動直後のＬＣＤユニット２２の電圧は予め定められた範囲内ではないが、テーブルＮｏ．７のままとする。なお、いずれのときにも、異常であることを報知する（ステップＳ２０）。
【００９５】
＜Ｅ．変形例＞
上記においては、複数回の起動によっても、ＬＣＤユニット２２の不具合が収まらない場合、ＬＣＤユニット２２の動作を停止させた。この場合、ファクシミリ１０は、他のファクシミリを含む他の電子機器（メーカの相談窓口の機器を含む）に対して、自機器でＬＣＤユニット２２の不具合が生じていることを、網回線あるいは無線通信回線等により連絡するように、ファクシミリ１０を構成してもよい。
【００９６】
また、上記の制御部１００による処理は、ＬＣＤ表示装置以外の表示装置（たとえば、有機ＥＬ（electroluminescence display））を備えた電子機器にも適用できる。
【００９７】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００９８】
１０  ファクシミリ、１４  給紙トレイ、１６  網通信装置、１８  記録装置、２０  操作パネル、２２  ＬＣＤユニット、２４  スピーカ、３２  ＲＯＭ、３４  ＲＡＭ、３８  ＣＰＵ、４０  電圧計、４２  無線通信装置、５０  ＶＤＤ外部端子、５１  ＶＳＳ端子、５２  ＶＤＤ端子、５３  ＶＯ端子、５４  ＸＶＯ端子、５５  ＶＤ１端子、５６  ＶＭ端子、５７  ＶＧ端子、１００  制御部、１０１  起動制御部、１０２  表示制御部、１１０  記憶部、１２０  表示部、１３０  電源部、１３１  電圧制御部、１４０  検知部、１５０  音声出力部、２２１  電源システム、２２２  ＬＣＤコントローラ、２２３  セグメントドライバ、２２４  コモンドライバ、２２５  ＬＣＤパネル、４４２  音声録音再生装置、２２１１  電圧ブースタ、２２１２  電圧レギュレータ、２２１４  電圧フォロワ、Ｃ１〜Ｃ５  コンデンサ。
【図１】
2014025964.tif 000003
【図２】
2014025964.tif 000004
【図３】
2014025964.tif 000005
【図４】
2014025964.tif 000006
【図５】
2014025964.tif 000007
【図６】
2014025964.tif 000008
【図７】
2014025964.tif 000009
【図８】
2014025964.tif 000010